(57)【特許請求の範囲】
【請求項１】
移動通信システムにおいて、移動局のローミングステータスに依存しないローカル制御機能を支援する方法であって、
移動局から送信され、少なくとも一つの識別コードからなる登録メッセージを前記システムで受信する工程と、
前記登録メッセージから、前記システムも支援している一つ以上のローカル制御機能を前記移動局が支援するかどうかを判断する工程と、
該判断に応答して、
ローカル制御機能が支援されてない場合に第一種の登録確認メッセージを前記移動局に送信する工程と、
ローカル制御機能が支援されている場合に第二種の登録確認メッセージを前記移動局に送信する工程とを備える方法。
【請求項２】
移動局から送信された前記登録メッセージは第一の識別コードと第二の識別コードとからなり、
前記第一の識別コードがシステムの記憶するリストに含まれているかどうかを判断する工程と、
前記第二の識別コードが前記第一の識別コードに付随する値の記憶範囲内にあるかどうかを判断する工程とをさらに備える請求項１記載の方法。
【請求項３】
前記第一の識別コードが製造業者コードを含み、前記第二の識別コードが移動局シリアル番号を含んでなる請求項２記載の方法。
【請求項４】
前記判断工程は、前記少なくとも一つの識別コードが前記システムの記憶するリストに含まれているかどうかを判断する工程をさらに備える請求項１記載の方法。
【請求項５】
前記記憶されたリストが製造業者コードのリストを含んでなる請求項４記載の方法。
【請求項６】
前記製造業者コードは、前記システムが支援している一つ以上のローカル制御機能を支援する移動局の製造業者を識別するものである請求項５記載の方法。
【請求項７】
前記製造業者コードは、前記システムが支援している一つ以上のローカル制御機能を支援する移動局の機種を識別するものである請求項５記載の方法。
【請求項８】
前記第二種の登録確認メッセージが、前記システムと前記移動局間の通信に向けて音声チャネルを割り当てる初期メッセージを含んでなる請求項１記載の方法。
【請求項９】
前記音声チャネルにのせてデータフィールドを含むローカル制御メッセージを送信する工程をさらに備える請求項８記載の方法。
【請求項１０】
前記データフィールドは、前記システムが支援する一つ以上のローカル制御機能と共通の一つ以上のローカル制御機能を支援している近隣システムを識別する一つ以上のシステム識別値を含む請求項９記載の方法。
【請求項１１】
共通ローカル制御グループフラッグを前記移動局用のホームロケーションレジスタに設定する工程をさらに備える請求項１０記載の方法。
【請求項１２】
前記判断工程が、
前記移動局用のホームロケーションレジスタにアクセスする工程と、
前記ホームロケーションレジスタに記憶されたローカル制御クラスのサービスを照合する工程とを備える請求項８記載の方法。
【請求項１３】
前記照合工程は、前記データベースの持つ共通のローカルグループフラッグが設定されているかどうかを判断する工程をさらに備える請求項１２記載の方法。
【請求項１４】
前記移動局から送信された第二の登録メッセージを前記システムで受信する工程と、
第二種の登録確認メッセージが前記移動局に送信された後に前記第二の登録メッセージが受信されたかどうかを判断する工程と、
肯定判断に応答して、
前記第一種の登録確認メッセージを前記移動局に送信する工程とを備える請求項１記載の方法。
【請求項１５】
移動通信システムにおいて、移動局のローミングステータスに依存しないローカル制御機能を支援する方法であって、
移動局から送信され、少なくとも一つの識別コードからなる登録メッセージを前記システムで受信する工程と、
前記登録メッセージから、前記システムも支援している一つ以上のローカル制御機能を前記移動局が支援するかどうかを判断する工程と、
該判断に応答して、
ローカル制御機能が支援されている場合に呼出メッセージを前記移動局に送信する工程と、
前記システムと前記移動局間の通信に向けて通信チャネルを割り当てる工程と、
前記割り当てられた通信チャネルにのせてデータフィールドを含むローカル制御メッセージを前記移動局に送信する工程とを備える方法。
【請求項１６】
前記データフィールドは、前記システムが支援する一つ以上のローカル制御機能と共通の一つ以上のローカル制御機能を支援している近隣システムを識別する一つ以上のシステム識別値を含む請求項１５記載の方法。
【請求項１７】
前記判断工程が、
前記移動局用のホームロケーションレジスタにアクセスする工程と、
前記ホームロケーションレジスタの持つローカル制御クラスのサービスを照合する工程とを備える請求項１５記載の方法。
【請求項１８】
通信システム内で動作する移動局において、移動局のローミングステータスに依存しないローカル制御機能を支援する方法であって、
第一のデータフィールドを有する登録メッセージを前記移動局から前記システムに送信する工程と、
第二のデータフィールドを有する登録確認メッセージを前記移動局によって受信する工程と、
前記第一のデータフィールドと前記第二のデータフィールドが同値であるかどうかを判断する工程と、
肯定判断に応答し、前記移動局でローカル制御機能を与える工程とを備える方法。
【請求項１９】
前記第一のデータフィールドが第一のオーダーコードを含み、前記第二のデータフィールドが第二のオーダーコードを含んでなる請求項１８記載の方法。
【請求項２０】
前記第一のデータフィールドが第一のオーダー修飾子コードを含み、前記第二のデータフィールドが第二のオーダー修飾子コードを含んでなる請求項１８記載の方法。
【請求項２１】
前記第一のデータフィールドが第一のメッセージ種別コードを含み、前記第二のデータフィールドが第二のメッセージ種別コードを含んでなる請求項１８記載の方法。
【請求項２２】
前記登録確認メッセージが、前記システムと前記移動局間の通信に向けて音声チャネルを割り当てる音声チャネル割当メッセージを含んでなる請求項１８記載の方法。
【請求項２３】
前記音声チャネルで送信され第三のデータフィールドを含むローカル制御メッセージを前記移動局で受信する工程をさらに備える請求項２２記載の方法。
【請求項２４】
前記第三のデータフィールドは、前記システムが支援する一つ以上のローカル制御機能と共通の一つ以上のローカル制御機能を支援している近隣システムを識別する一つ以上のシステム識別値のリストを含んでなる請求項２３記載の方法。
【請求項２５】
前記一つ以上のシステム識別値のリストを前記移動局で記憶する工程と、
近隣システムの制御チャネルで送信されたシステム識別値を前記移動局で受信する工程と、
前記受信したシステム識別値が前記一つ以上のシステム識別値のリストに含まれているかどうかを判断する工程と、
前記受信したシステム識別値が前記リストに含まれていることを示す判断に応答し、前記移動局でローカル制御機能を与える工程とをさらに備える請求項２４記載の方法。
【請求項２６】
通信システム内で動作する移動局において、移動局のローミングステータスに依存しないローカル制御機能を支援する方法であって、
登録メッセージを前記移動局から前記システムに送信する工程と、
前記移動局で登録確認メッセージを受信する工程と、
前記システムから送信される呼出メッセージを受信する工程と、
前記システムから送信される通信チャネル割当メッセージを受信する工程と、
前記割り当てられた通信チャネルに合わせて、データフィールドを含むローカル制御メッセージを受信する工程と、
前記割り当てられた通信チャネルでの前記ローカル制御メッセージの受信に応答してローカル制御機能を与える工程とを備える方法。
【請求項２７】
前記データフィールドを前記移動局で記憶する工程と、
近隣システムが送信したシステム識別値を前記移動局で受信する工程と、
前記受信したシステム識別値が前記データフィールドの持つ一つ以上のシステム識別値のリストに含まれているかどうかを判断する工程と、
前記受信したシステム識別値が前記リストに含まれているとの肯定判断に応答し、前記移動局でローカル制御機能を与える工程とをさらに備える請求項２６記載の方法。
【請求項２８】
移動通信システムにおいて、移動局のローミングステータスに依存しないローカル制御機能を支援する装置であって、
移動局から送信され、少なくとも一つの識別コードからなる登録メッセージを前記システムで受信する手段と、
前記登録メッセージから、前記システムも支援している一つ以上のローカル制御機能を前記移動局が支援するかどうかを判断する手段と、
ローカル制御機能が支援されてない場合に第一種の登録確認メッセージを前記移動局に送信する手段と、
ローカル制御機能が支援されている場合に第二種の登録確認メッセージを前記移動局に送信する手段とを備える装置。
【請求項２９】
移動局から送信された前記登録メッセージは第一の識別コードと第二の識別コードとからなり、前記判断手段は
前記第一の識別コードがシステムの記憶するリストに含まれているかどうかを判断する手段と、
前記第二の識別コードが前記第一の識別コードに付随する値の記憶範囲内にあるかどうかを判断する手段とをさらに備える請求項２８記載の装置。
【請求項３０】
前記第一の識別コードが製造業者コードを含み、前記第二の識別コードが移動局シリアル番号を含んでなる請求項２９記載の装置。
【請求項３１】
前記判断手段は、前記少なくとも一つの識別コードが前記システムの記憶するリストに含まれているかどうかを判断する手段をさらに備える請求項２８記載の装置。
【請求項３２】
前記記憶されたリストが製造業者コードのリストを含んでなる請求項３１記載の装置。
【請求項３３】
前記製造業者コードは、前記システムが支援している一つ以上のローカル制御機能を支援する移動局の製造業者を識別するものである請求項３２記載の装置。
【請求項３４】
前記製造業者コードは、前記システムが支援している一つ以上のローカル制御機能を支援する移動局の製造業者を識別するものである請求項３２記載の装置。
【請求項３５】
前記第二種の登録確認メッセージが、前記システムと前記移動局間の通信に向けて音声チャネルを割り当てる初期メッセージを含んでなる請求項２９記載の装置。
【請求項３６】
前記音声チャネルにのせてデータフィールドを含むローカル制御メッセージを送信する工程をさらに備える請求項２９記載の装置。
【請求項３７】
前記データフィールドは、前記システムが支援する一つ以上のローカル制御機能と共通の一つ以上のローカル制御機能を支援している近隣システムを識別する一つ以上のシステム識別値を含む請求項３６記載の装置。
【請求項３８】
共通ローカル制御グループフラッグを前記移動局用のホームロケーションレジスタに設定する手段をさらに備える請求項３７記載の装置。
【請求項３９】
前記判断手段が、
前記移動局用のホームロケーションレジスタにアクセスする手段と、
前記ホームロケーションレジスタに記憶されたローカル制御クラスのサービスを照合する手段とを備える請求項３５記載の装置。
【請求項４０】
前記照合手段は、前記データベースの持つ共通のローカルグループフラッグが設定されているかどうかを判断する手段をさらに備える請求項３９記載の装置。
【請求項４１】
前記移動局から送信された第二の登録メッセージを前記システムで受信する手段と、
第二種の登録確認メッセージが前記移動局に送信された後に前記第二の登録メッセージが受信されたかどうかを判断する手段と、
肯定判断に応答して前記第一種の登録確認メッセージを前記移動局に送信する手段とを備える請求項２８記載の装置。
【請求項４２】
移動通信システムにおいて、移動局のローミングステータスに依存しないローカル制御機能を支援する装置であって、
移動局から送信され、少なくとも一つの識別コードからなる登録メッセージを前記システムで受信する手段と、
前記登録メッセージから、前記システムも支援している一つ以上のローカル制御機能を前記移動局が支援するかどうかを判断する手段と、
ローカル制御機能が支援されている場合に呼出メッセージを前記移動局に送信する手段と、
前記システムと前記移動局間の通信に向けて通信チャネルを割り当てる手段と、
前記割り当てられた通信チャネルにのせてデータフィールドを含むローカル制御メッセージを前記移動局に送信する手段とを備える装置。
【請求項４３】
前記データフィールドは、前記システムが支援する一つ以上のローカル制御機能と共通の一つ以上のローカル制御機能を支援している近隣システムを識別する一つ以上のシステム識別値を含む請求項４２記載の装置。
【請求項４４】
前記判断手段が、
前記移動局用のホームロケーションレジスタにアクセスする手段と、
前記ホームロケーションレジスタの持つローカル制御クラスのサービスを照合する手段とを備える請求項４２記載の装置。
【請求項４５】
通信システム内で動作する移動局において、移動局のローミングステータスに依存しないローカル制御機能を支援する装置であって、
第一のデータフィールドを有する登録メッセージを前記移動局から前記システムに送信する手段と、
第二のデータフィールドを有する登録確認メッセージを前記移動局によって受信する手段と、
前記第一のデータフィールドと前記第二のデータフィールドが同値であるかどうかを判断する手段と、
肯定判断に応答し、前記移動局でのローカル制御機能の使用を許可する手段とを備える装置。
【請求項４６】
前記第一のデータフィールドが第一のオーダーコードを含み、前記第二のデータフィールドが第二のオーダーコードを含んでなる請求項４５記載の装置。
【請求項４７】
前記第一のデータフィールドが第一のオーダー修飾子コードを含み、前記第二のデータフィールドが第二のオーダー修飾子コードを含んでなる請求項４５記載の装置。
【請求項４８】
前記第一のデータフィールドが第一のメッセージ種別コードを含み、前記第二のデータフィールドが第二のメッセージ種別コードを含んでなる請求項４５記載の装置。
【請求項４９】
前記登録確認メッセージが、前記システムと前記移動局間の通信に向けて音声チャネルを割り当てる音声チャネル割当メッセージを含んでなる請求項４５記載の装置。
【請求項５０】
前記音声チャネルで送信され第三のデータフィールドを含むローカル制御メッセージを前記移動局で受信する手段をさらに備える請求項４９記載の装置。
【請求項５１】
前記第三のデータフィールドは、前記システムが支援する一つ以上のローカル制御機能と共通の一つ以上のローカル制御機能を支援している近隣システムを識別する一つ以上のシステム識別値のリストを含んでなる請求項５０記載の装置。
【請求項５２】
前記一つ以上のシステム識別値のリストを前記移動局で記憶する手段と、
近隣システムの制御チャネルで送信されたシステム識別値を前記移動局で受信する手段と、
前記受信したシステム識別値が前記一つ以上のシステム識別値のリストに含まれているかどうかを判断する手段と、
前記受信したシステム識別値が前記リストに含まれていることを示す判断に応答し、前記移動局でのローカル制御機能の使用を許可する手段とをさらに備える請求項５１記載の装置。
【請求項５３】
通信システム内で動作する移動局において、移動局のローミングステータスに依存しないローカル制御機能を支援する装置であって、
登録メッセージを前記移動局から前記システムに送信する手段と、
前記移動局で登録確認メッセージを受信する手段と、
前記システムから送信される呼出メッセージを受信する手段と、
前記システムから送信される通信チャネル割当メッセージを受信する手段と、
前記割り当てられた通信チャネルに合わせて、データフィールドを含むローカル制御メッセージを受信する手段と、
前記割り当てられた通信チャネルで前記ローカル制御メッセージを受信し次第ローカル制御機能の使用を許可する手段とを備える装置。
【請求項５４】
前記データフィールドを前記移動局で記憶する手段と、
近隣システムが送信したシステム識別値を前記移動局で受信する手段と、
前記受信したシステム識別値が前記データフィールドの持つ一つ以上のシステム識別値のリストに含まれているかどうかを判断する手段と、
前記受信したシステム識別値が前記リストに含まれているとの肯定判断に応答し、前記移動局でのローカル制御機能の使用を許可する手段とをさらに備える請求項５３記載の方法。
【発明の詳細な説明】
発明の背景技術
発明の属する技術分野
本発明は移動通信システムに関し、特に、移動局のローミングステータスに依存しない移動通信システムのローカル制御機能の支援を可能にする方法およびそのシステムに関するものである。
従来技術の変遷
セルラー通信システムにおいては、移動局のユーザがシステムの地理的サービスエリアを動き回りながら無線インターフェースを介してシステムとの通信を行う。移動局とシステム間の無線インターフェースは、基地局をシステムのサービスエリアにくまなく散在させることにより実動化される。各基地局は、システム範囲内で作動している移動局と無線通信を行うことができる。
既存のセルラー通信システムは、ある特定システムで動くように設計された機器の互換性を確保する各種エアインターフェース標準に従って動作する。これら標準の例としては、EIA/TIA-553移動局−陸上局互換仕様（AMPS）、IS-54-Bセルラーシステム・デュアルモード移動局−基地局互換標準、およびEIA/TIA IS-136セルラーシステム・デュアルモード移動局−基地局互換標準等がある。これら各標準によって、あるシステムの移動局および基地局で行われる全ての動作モードにおける各処理独自の詳細が与えられる。これら動作モードには、その不働時間、制御チャネルの再走査期間、再登録期間、音声接続またはトラヒックチャネル接続期間も含まれる。各標準は、移動局および基地局の動作に関する非常に包括的なレベルの詳細を含んでいる。この包括的レベルの詳細は、ある特定標準に従って作られたエンドユーザ機器が同じ標準に従うものであればいかなるセルラーシステム設備であっても適切に動作し得ることを保証するものである。
主要なセルラー通信システム標準は、通常、管轄の政府機関とセルラー業界メンバー間の合意によって確立される。セルラーシステムの代理店、セルラー移動局の製造業者およびセルラーネットワーク通信交換扱い者は、皆、セルラーシステムおよびエンドユーザ機器の相互運用性のルール作りへの意見交換をする。しかしながら、通常、セルラー標準の開発は容易には進まない。最終的にできた標準が高品質のものであっても、セルラー業界の異なるメンバーがそれぞれに優先させる各種解決策間の妥協の産物にならざるをえない。
セルラーシステムでは、互いに独立したそのシステムの各地理的エリア、すなわち各セルが、そのセルを受け持つ基地局からの無線送信によって明らかにされ、次いで、移動機交換センター（ＭＳＣ）につなげられる。多数の異なる基地局と関連するセルとの間で交わされる無線による連係はこのＭＳＣによって制御される。各セルラーシステムは、一つ以上のＭＳＣと関連基地局とから構成される。移動局には、通常、一つのシステムがホームシステムとして割り当てられている。ここで、移動局がそのホームＭＳＣ、またはそのホームシステムを形成するＭＳＣグループの受け持つ地理的エリアから移動する場合を「ローミング」であると言い表す。
セルラーフォンシステムは、登録プロセスによってローミング移動局の位置を追跡する。登録の際、移動局は自身の所在地に最も近い基地局の制御チャネルにのせて登録要請メッセージを送信する。その登録要請が受理されると、登録確認メッセージが制御チャネルで基地局から移動局に送り返される。この確認メッセージは、受信側基地局の置かれたシステムが、該当基地局のサービスエリアであるそのシステム指定区域内で移動局を登録したことを確認するものである。セルラーシステムを一つ以上のシステム指定区域から構成してもよく、一つのシステム指定区域を一つ以上の基地局でサービス提供してもよい。また、この登録プロセスは、周期的か指定区域ごとかのいずれかで行われる。
周期登録は、移動局のユーザのアクションがなくても自主的に所定の時間間隔で周期的に行われる。すなわち、移動局の所在するセルの取り扱い基地局の制御チャネルにのせて、システムは移動局に特定のパラメータを送信する。そして移動局は、システム内で転々と所在を変えながら、これらパラメータに応じて算出された時間間隔でシステムに登録要請メッセージを送信する。登録アクセスメッセージは、登録アクセスの伝送時にある特定移動局が所在しているセルの取り扱い基地局でシステムによって受信される。登録アクセスメッセージを受け取ると、システムは、登録アクセスを受信した基地局のセルを含むシステム指定区域でその特定移動局を登録する。移動局登録の後、基地局は登録確認メッセージを移動局に送り返す。
指定区域別登録は、移動ユニットがあるシステム指定区域から他のシステム指定区域に移動する時、すなわち、あるシステムから他のシステムへ移ることによって生じるものである。基地局はその制御チャネルにのせてオーバヘッドメッセージ列（OMT）の状態でシステム指定区域識別データを周期的に送信する。指定区域識別データには、該基地局が置かれているシステムを識別するシステム識別値（EIA/TIA-553、IS-54-BまたはIS-136のSID）が含まれている。IS-54-BおよびIS-136では、システム内個々の細分化を識別する指定区域識別子（LOCAID）も指定区域識別データに含まれている。一方移動局は、そのシステム内で、またはシステム間を移動しながら、これら基地局の制御チャネルを定期的に走査し、そのシステムおよび／またはシステム指定区域に対する指定区域識別データを受信する。そして移動局は、新たに受信した指定区域識別データと、直前に登録確認メッセージを受信したシステムおよび／またはシステム指定区域を識別するメモリデータとを比較する。これら二組の識別データが一致するなら、登録の済んでいるそのシステムおよび／またはシステム指定区域に移動局は所在している。移動局が移動し識別データセットが一致しないなら、移動局は登録アクセスメッセージを送信し、その移動局が現在位置しているシステムおよび／またはシステム指定区域に内包されたセルの取り扱い基地局でそのメッセージは受信される。そして、システムがその新規システムおよび／またはシステム指定区域に移動局を登録し、登録確認を移動局に送り返す。一つのシステムがいくつかのシステム指定区域に細分化されているなら、新規のシステム指定区域は、当該移動局が前に登録された所と同じシステムであるか、または異なるシステムにある場合とが考えられる。
一般的に、既存の標準はエアインターフェースのカスタマイズを可能にし、システム内で特設ローカルサービスを提供する。エアインターフェースのカスタマイズは追加のサービスを提供するのに使用可能なものである。これら追加サービスは、冗長な標準化プロセスゆえに標準内には実装されていないものである。あるいは、全てに実装されないよう選択されているか、または、セルラー機器製造業者や通信交換扱い者主導の選択によらないパラメータによって実装可能なものである。標準はメッセージを識別するメッセージコードをローカル制御メッセージとして定義するものである。しかしながら、これらメッセージの内容および用途が標準によって定義されることはなく、移動局やシステム機器の製造業者の自由裁量にゆだねられている。したがって、システムのローカル制御機能を用いることにより、システム標準では定義されていない動作モードが実行可能となる。このようにして特殊なサービスが提供可能となる。
ローカル制御サービスを使用する上で、EIA/TIA-553、IS-54-BおよびIS-136標準は全て何らかの制限を課す。そして、移動局のソフトウェアによってローカル制御オプションが可能な場合のみ、移動局によってローカル制御メッセージの解釈、遂行が可能となる。また、移動局でローカル制御モードをオン・オフするソフトウェア手段を備えるかどうかは標準個々にその権限が与えられている。さらに、セルラーシステムによって提供されるローミング機能の性質からも、ローカル制御の使用は元々制限が加えられているものである。
ローカル制御目的のため、制御チャネルのOMTに基づき受信されたSIDのグループ識別子と、移動局に常時記憶され不変のホームSIDのグループ識別子とを比較するよう、標準は移動局が新規システムに登録される度に要請する。グループ識別子は特定数のSID最上位ビットからなる。そして、グループ識別子を構成するホームSIDのビットが受信・記憶されたSIDのグループ識別子と一致する場合にのみ、ローカル制御機能は可能となりローカル制御メッセージが移動局によって遂行される。このため、移動局はシステム内のシステム指定区域でそのホームシステムあるいはホームエリアのグループ識別子と同じグループ識別子でもって動作し、ローカル制御を活用することによって利益を得るものでなければならない。移動局がグループ識別子の一部をなすシステムやエリアで動作していない場合、ローカル制御から得られる全ての利益は失われる。
セルラーシステムのSID値は、ローカル制御目的のグループ識別子を用いる可能性を考慮することなく通常設定されている。しかしながら、同じセルラー通信交換扱い者によって所有され、隣接した二つの都市に対してサービスを提供する二つのセルラーシステムが同じグループ識別子を有するSIDを備えている場合は少ない。したがって、移動局の加入者は移動局のホームシステムと近隣システムとの間を行き来する可能性がありながら、ホームシステムまたはホームエリアの短い距離内でローミングステータスが補足されるため、ホームシステムおよび近隣システムに共通のローカル制御機能から利益を得ることができない。
また、移動局が多数異なる製造業者によって製造されていることもローカル制御に問題をなげかける。すなわち、あるシステムで実用化されるローカル制御機能を支援する移動局が何れの製造業者によって作られているかに関して一貫性がない。
実際には、セルラーシステムの多様性、異なるシステムによって機能した都市間を行き来する移動局の移動性、および移動局製造業者数が多いことを考慮すると、ローカル制御を用いる可能性は非常に限定されたものとなる。このため、ローカル制御が使われることはめったにない。
そのため、ローミング移動局が滞在先のシステムのローカル制御機能に従って動作するかどうかの判断を可能にする方法およびシステムを備えることは際だった効果を奏するだろう。これにより、移動局のユーザはシステム間を移動しながら、滞在先のシステムが持つローカル制御機能によって提供された特権を利用することができる。
発明の概要
本発明は、移動局登録の間に使用され、ローミングステータスに依存せず新規にアクセスしたシステムでローカル制御機能の支援を可能にする方法およびシステムを提供するものである。従って、ローカル制御機能を活用するために、新規アクセスシステムのシステム識別子が移動局のホームシステムの識別子と同じグループ識別子を備えている必要はない。移動局登録の間に、新規アクセスのシステムは、登録中の移動局がシステム自身の支援するローカル制御機能に従って動作し得るかどうかを判断する。この判断は、登録の際に移動局から受信したデータとその新規アクセスシステム内のデータベースにアクセスして得られたデータとを比べることによってなされる。登録する移動局が該システムの支援するローカル制御機能に従って動作し得ると判断されるなら、そのシステムは移動局にローカル制御互換性を示すものを含めた信号を送る。その後、移動局および基地局が適宜機能し合ってローカル制御機能の使用を可能にする。
本発明の一様態においては、第一および第二の識別コードからなる登録メッセージがシステムによって移動局から受信される。そしてシステムは、自身のデータベース内に記憶されたリストに第一の識別コードが含まれているかどうかを判断する。第一の識別コードがそのリスト内に含まれていない場合、このコードは、移動局とシステムが共通のローカル制御機能を支援していないことをシステムに示すものとして機能する。この場合、システムは第一の種別メッセージを移動局に送信する。この第一の種別メッセージは登録を確認するもので、移動局にローカル制御機能の使用を許可するものではない。第一の識別コードがリスト内に含まれている場合には、第二の識別コードが第一の識別コードに付随する番号の範囲内にあり、かつリスト内に記憶されているかどうかシステムが照合、判断する。第二の識別コードがその範囲内にないなら、このコードは、移動局およびシステムが共通のローカル制御機能を支援していることをシステムに示すものとして機能する。この場合、システムは第一の種別メッセージを移動局に送信する。一方、第二の識別コードがその範囲内にあるなら、このコードは、移動局およびシステムが共通のローカル制御機能を支援していないことをシステムに示すものとして機能する。この場合、システムは第二の種別メッセージをシステムに送信する。このメッセージは、登録を確認すると共に移動局およびシステムが共通のローカル制御機能を支援していることを移動局に示すものである。
また、本発明の第二の様態においては、移動局がシステムに登録されると、システムは移動局のホームロケーションレジスタ内に記憶されているローカル制御クラスのサービスデータにアクセスする。そして、そのシステムで支援しているローカル制御機能を移動局が支援していることをそのクラスのサービスデータが示しているかを判断する。そのシステムで支援しているローカル制御機能を移動局が支援していることをそのクラスのサービスデータが示しているなら、システムは次いでサービスデータクラス内に含まれるグループフラッグをチェックする。グループフラッグはシステムが属する共通ローカル制御グループに移動局が登録されたかどうかを示すものである。移動局が共通ローカル制御グループのシステムに事前に登録されていないことをそのグループフラッグが示しているなら、システムはフラッグをセットし、移動局を呼出しシステムと移動局間通信のための音声チャネルを割り当てる。その後、システムは音声チャネルにのせてローカル制御メッセージを移動局に送る。ローカル制御メッセージは、移動局およびシステムが共通のローカル制御機能を支援していることを移動局に示すものとして機能する。また、ローカル制御メッセージは、共通ローカル制御グループに属するシステムを識別するシステム識別値を入れるデータフィールドも含んでいる。その後、各システムが共通ローカル制御機能を支援していることの指示を得ながら、その移動局はこれらシステム内を動き回ることができる。
さらに、本発明の他の様態においては、移動局から登録アクセスメッセージを受信すると、移動局のホームロケーションレジスタ内に記憶されているローカル制御クラスのサービスデータにシステムがアクセスする。そのシステムの支援するローカル制御機能を移動局が支援していることをそのクラスのサービスデータが示し、ローカル制御機能を支援する共通ローカル制御グループに移動局が事前に登録されていないことをグループフラッグが示しているなら、システムは音声チャネル割当メッセージをローカル制御登録確認メッセージとして送信する。登録の確認に加え、音声チャネル割当メッセージは、システムと移動局が共通のローカル制御機能を支援していることを移動局に示すものとして機能する。その後、システムは音声チャネルでローカル制御メッセージを送る。ローカル制御メッセージには、共通ローカル制御グループに対して同一化するためのシステム識別値を持ったデータフィールドが含まれる。その後、その移動局は、各システムが共通ローカル制御機能を支援していることの指示を得ながらこれらシステム内を動き回ることができる。
【図面の簡単な説明】
本発明の理解をより完結したものとするため、および本発明の他の目的と効果のために、添付図面に関連して以下の説明の言及がなされる。添付図面中、
図１は本発明が実行されるセルラー移動通信システムを図示し、
図２は基地局が移動局に送るオーバヘッドメッセージ列情報のサブセットの図解的説明図であり、
図３は移動局のメモリ内に記憶されている登録パラメータを説明する図であり、
図４は二つの隣接するセルラーシステムの境界エリア内での移動局の動作を説明するブロック図であり、
図５および図６は、本発明の第一の実施形態に係わる登録アクセスメッセージおよび特殊ローカル制御登録確認メッセージとして考えられるシーケンスを示し、
図７Ａは、本発明の第一の実施形態に係わる移動局内およびシステム内で実行される工程を説明する流れ図であり、
図７Ｂは、本発明の第一の実施形態に係わる移動局内およびシステム内で実行される工程を説明する流れ図であり、
図８は本発明の第二の実施形態に係わり、加入者プロフィールに記憶されているローカル制御クラスのサービス値を図示し、
図９は本発明の第二の実施形態に係わり、登録アクセスに応答して音声チャネルで送られるローカル制御メッセージのフォーマットを図示し、
図１０は本発明の第二の実施形態に係わり移動局内およびシステム内で実行される工程を説明する流れ図であり、
図１１は本発明の第二の実施形態に係わり移動局内およびシステム内で実行される工程を説明する流れ図である。
発明の詳細な説明
図１に関して、従来のセルラー無線通信網が図示され、本発明が全体として係わるようなシステムＡおよびＢが含まれる。図１において、システムＡおよびＢの地理的エリアは、複数の隣接した無線サービスエリア、すなわちセルＣ１〜Ｃ１０およびＣ１１〜Ｃ２０にそれぞれ分割される。システムＡはセルＣ１〜Ｃ５を有するシステム指定区域ＬＡ１とセルＣ６〜Ｃ１０を有するシステム指定区域ＬＡ２とに分割される。システムＢはセルＢ１１〜Ｂ１５を有するシステム指定区域ＬＢ１とセルＢ１６〜Ｂ２０を有するシステム指定区域ＬＢ２とに分割される。図１のシステムは実例として各々１０個のセルを有しているように示されているが、実際には一システムのセル数がはるかに多いものであることは明らかである。
図１の各セルＣ１〜Ｃ２０に関連してその範囲内に置かれているのが、複数の基地局Ｂ１〜Ｂ２０から対応するものとして指定された各基地局である。各基地局Ｂ１〜Ｂ２０は、当該技術分野では公知の通り、送信機、受信機および基地局コントローラを備えている。図１において、基地局Ｂ１〜Ｂ２０は、実例としては各セルＣ１〜Ｃ２０の中心にそれぞれ位置し、全方向アンテナを備えている。しかしながら、セルラー無線システムの他の構成では、基地局Ｂ１〜Ｂ２０が周囲付近に位置していてもよく、さもなければセルＣ１〜Ｃ２０の中心から離れていてもよい。また、無線信号でセルＣ１〜Ｃ２０を全方向的または指向的のいずれの方法で浮かび上がらせてもよい。それゆえ、図１のセルラー無線システムの表現は図解のみを目的としたものであり、本発明が実行され得るセルラー無線システムの実動化を制限するものとして意図されたものではない。
図１に関して説明を続けると、複数の移動局Ｍ１〜Ｍ１５がシステムＡのセルＣ１〜Ｃ１０およびシステムＢのセルＣ１１〜Ｃ２０の範囲内に見られる。各移動局Ｍ１〜Ｍ１５は、当該技術分野では公知の通り、送信機、受信機および移動局コントローラを備えている。図１には１５個の移動局だけが示されているが、移動局の数は実際にはかなり多くなり、基地局の数をはるかに超えるはずである。さらにまた、セルＣ１〜Ｃ２０の内いくつかのセルには移動局Ｍ１〜Ｍ１５があてがわれていないが、セルＣ１〜Ｃ２０のいずれか一つにおける移動局の有無は、実際には、そのセルのある位置から他の位置に、または一つのセルから隣接するセルへ、さらにシステムＡからシステムＢへと動き回る移動局Ｍ１〜Ｍ１５のユーザ個々の要望に左右される。
各移動局Ｍ１〜Ｍ１５は一つ以上の基地局Ｂ１〜Ｂ２０、およびその基地局に接続されている移動局交換センターＭＳＣ１〜ＭＳＣ４を介して電話呼出しの開始や受信ができる。ＭＳＣ１は基地局Ｂ１〜Ｂ５に接続され、ＭＳＣ２は基地局Ｂ６〜Ｂ１０に接続され、ＭＳＣ３は基地局Ｂ１１〜Ｂ１５に接続され、ＭＳＣ４は基地局Ｂ１６〜Ｂ２０に接続されている。各ＭＳＣは、図示しない所定の公衆交換回線網ＰＳＴＮ、あるいはディジタル総合サービス網（ＩＳＤＮ）設備を備えるような同様の所定ネットワークに接続されている。
各移動局Ｍ１〜Ｍ１５はホームシステムを割り当てられる。このホームシステムは、システムＡ、システムＢ、あるいはここでは図示されていないその他システムでもよい。各移動局Ｍ１〜Ｍ１５用のホームロケーションレジスタ（ＨＬＲ）（図示せず）は、各移動局Ｍ１〜Ｍ１５のホームシステムに保持される。ＨＬＲには、セルラーネットワーク自身から、またはＰＳＴＮ、ＩＳＤＮあるいは他の類似所定ネットワークからホームシステムへと着呼が受信される時に使用される指定区域およびその他関連データを持つ加入者プロフィールが入れられている。その後、該当移動局が登録される滞在先のシステムに着呼が転送可能となる。ＨＬＲは、物理的にホームシステムのＭＳＣにあっても、あるいはホームシステムの他の適当な指定区域に設置されていてもよい。
図１において、ＭＳＣ１およびＭＳＣ２はシステムＡのシステム指定区域ＬＡ１とＬＡ２をそれぞれ制御し、ＭＳＣ３およびＭＳＣ４はシステムＢのシステム指定区域ＬＢ１とＬＢ２を制御する。ＭＳＣ１〜ＭＳＣ４各々はそれに接続された個々の基地局Ｂ１〜Ｂ２０間、およびその時つながっている移動局Ｍ１〜Ｍ１５間の通信管理を制御する。移動局交換センターＭＳＣ１〜ＭＳＣ４と基地局Ｂ１〜Ｂ２０間、あるいは移動局交換センターＭＳＣ１〜ＭＳＣ４とＰＳＴＮやＩＳＤＮ間の接続に関して図１は完全には示していないが、それらは当業者には公知のことである。移動局がシステム間を行き来する場合、ＨＬＲ内に記憶されているデータは通常滞在先のシステムによってアクセスされる。移動局はシステムＡとシステムＢを動き回りその間を行き来しながら、その移動局が通信している基地局および関連ＭＳＣを介して当該システムでその指定区域を登録する。その後システムは、移動局の置かれたシステム指定区域およびシステムに移動局を登録する。システムが個々の移動局に宛てた呼を受信すると、その移動局に宛てた呼出メッセージが、該移動局が所在していると思われるシステムおよびシステム指定区域のセルを受け持つ基地局の制御チャネルで放送される。各ＭＳＣ１〜ＭＳＣ４は、ＭＳＣによって制御されたシステム指定区域内に置かれた基地局の受け持つ地理的エリアにあると思われる移動局の呼出を制御する。
自身宛ての呼出メッセージを受信すると、移動局はシステムアクセスチャネルを走査し、最も強いアクセスチャネル信号が受信された基地局に呼出応答を送る。そして呼出接続のプロセスが開始される。システム中をセルからセルへと移動する移動局に応答して、一基地局から他の基地局へと手渡される移動局とのハンドオフ通信のみならず、移動局からの呼出応答を受け取ると基地局が移動局に無線チャネルを割り当てることもＭＳＣ１〜ＭＳＣ４によって制御される。
セルＣ１〜Ｃ２０の各々には、複数の音声チャネルと、フォワード制御チャネル（ＦＯＣＣ）とリバース制御チャネル（ＲＥＣＣ）からなる制御チャネル等、少なくとも一つの制御チャネルとが割り当てられている。制御チャネルは移動ユニットとの送受信情報によりそれら移動局の動作を制御または管理するのに使用される。そのような情報には、着呼信号、発呼信号、呼出信号、呼出応答信号、指定区域登録信号および音声チャネル割当等が含まれる。
良好な実施形態において、登録の間にアナログ制御チャネルがＥＩＡ／ＴＩＡ−５５３、ＩＳ−５４またはＩＳ−１３６等の各種標準に従って動作する図１に示すようなセルラーシステムに対して本発明は実行される。これにより、これら標準を組み込み言及することにする。これらシステム各々のアナログ制御チャネルは同じように動作する。すなわち、移動局登録プロセスは、ＦＯＣＣ上その固定無線基地局によって移動局に送られ、オーバヘッドメッセージ列（ＯＭＴ）の一部をなすデータを用いてそのＭＳＣにより制御される。そのようなデータは図２に図解されているようなものであり、システム識別番号（ＳＩＤ）２１、指定区域識別番号（ＬＯＣＡＩＤ）２２、登録識別番号（ＲＥＧＩＤ）２３、および登録インクリメントパラメータ（ＲＥＧＩＮＣＲ）２４を含んでいる。ＳＩＤ２１およびＬＯＣＡＩＤ２２は、個々の移動システム（ＳＩＤ）またはその指定区域（ＬＯＣＡＩＤ）の指定に用いられ、それら指定はシステム内の移動局の所在地データの有効性を高めるためになされる。ここで、ＥＩＡ／ＴＩＡ−５５３システムではＬＯＣＡＩＤ値は利用されない。ＳＩＤによって指定されるような個々のシステムはＭＳＣのサービスエリアの一部を形成することができ、場合によっては、一つ以上のＭＳＣサービスエリアが、個々のＳＩＤによって定義、特定されるような一つのシステムを形成することもある。そしてＬＯＣＡＩＤは、ＳＩＤの境界とは別に独立してＭＳＣの境界を識別するために用いられる。これは図１に示すシステムを有する場合であって、そこでは、システムＡが指定区域ＬＡ１およびＬＡ２から構成され、システムＢが指定区域ＬＢ１およびＬＢ２から構成されている。ＲＥＧＩＤは周期的登録のためのシステム内クロックとして作用し、ＲＥＧＩＮＣＲは移動局に向けて登録プロセスの周期数示すものである。新規システムまたはそのいずれかの部分を検出した時移動局はＦＯＣＣを通じて送信されたデータに基づいて登録するようシステムに命ぜられる。すなわち、ＦＯＣＣで受信したＯＭＴのデータの一部を形成する新規ＳＩＤまたは新規ＬＯＣＡＩＤの検出時に移動局は登録を行わなければならない。また移動局は、制御チャネルでそれによって受信されたＯＭＴのＲＥＧＩＤ２３およびＲＥＧＩＮＣＲ２４部分が述べるパラメータに従って定期的に登録を行うよう命ぜられる。これらパラメータは図２に示すＯＭＴデータ図に説明されている。
図３は移動局のメモリ内に記憶されている登録パラメータを説明する図である。移動局が当該システムで登録を行うべきであると判断すると、受信側のＦＯＣＣ上でＯＭＴに基づき受信されたＳＩＤ２６、ＬＯＣＡＩＤ２７（ＩＳ−５４−ＢおよびＩＳ−１３６の場合）、ＲＥＧＩＤ２８およびＲＥＧＩＮＣＲ２９の値がそのメモリ２５内に一時的に記憶される。そして利用可能な制御チャネルが再走査され、それに有効な最良のチャネルが選択される。すなわち、その移動機の受信した内最高率で検出された信号強度の制御チャネルであると判断されたものが選択される。
そして、登録アクセスメッセージがリバース制御チャネル（ＲＥＣＣ）をのせて移動局によって送られ、固定無線基地局によって受信される。登録アクセスメッセージには、オーダーコードフィールド、オーダー修飾子コードフィールド、メッセージ種別フィールド、移動機識別番号（ＭＩＮ）および電子シリアル番号（ＥＳＮ）が含まれる。ここで、ＥＩＡ／ＴＩＡ−５５３システムではメッセージ種別フィールドは利用されない。５ビットのオーダーコード、３ビットのオーダー修飾子コードおよび５ビットのメッセージ種別フィールドはメッセージの種類を識別する。３４ビットのＭＩＮは移動局の１０桁の電話番号に由来する数である。３２ビットのＥＳＮは製造時設定済みの番号であり、いかなるシステムに対しても移動局を一意的に識別するためのものである。ＥＳＮは、ＥＳＮの８つの最上位ビット（２４〜３１）内に含まれる８ビットの製造業者コード（ＭＦＲコード）と、ＥＳＮの１７の最下位ビット（０〜１７）内に含まれる１７ビットのシリアル番号（ＳＮ）とからなる。ＥＳＮの１８〜２３のビットは、将来ビット０〜１７が使い尽くされた場合に個々の製造業者に追加のシリアル番号を割り当てるためのものである。
基地局は登録アクセスメッセージの状態で受信された情報を関連するＭＳＣに転送し、ＭＳＣは移動局のＨＬＲに移動局の現在の所在地を通知する。また、ＭＳＣは登録確認を移動局に送るよう基地局に命じる。この登録確認はシステム内に登録されたことを示すものである。登録確認メッセージは、システム仕様において、登録アクセスメッセージと同じオーダーコード、オーダー修飾コードおよび／またはメッセージ種別フィールドを含むものとして定義される。各移動局はエントリ３３および３４を含む半固定記憶装置３１を備えており、関連ＮＸＴＲＥＧに加えて移動機が直近に登録したセルラーシステムを示す。また、各移動局はホームシステムのＳＩＤＨ３６を含む固定記憶装置３２を備えている。
同一のオーダーコード、オーダー修飾子コードおよび／またはメッセージ種別フィールドで新規アクセスのシステムから登録確認メッセージを受信すると、移動局はいずれが新規の値であるかによってその半固定記憶装置３１内にＬＯＣＡＩＤおよび／またはＳＩＤのいずれかを記憶する。新規ＳＩＤが記憶される場合、次の登録（ＮＸＴＲＥＧ）パラメータが新規ＳＩＤと共に受信されたＲＥＧＩＤおよびＲＥＧＩＮＣＲパラメータから計算され、半固定記憶装置３１に記憶される。そして、移動局は再び制御チャネルを走査し、その時点で利用可能なものの内最も信号強度の高そうな制御チャネルにより動作しているかを確認する。
本発明は上述した登録プロセスに対する変形例をも含むものである。本発明の第一の実施形態においては、製造業者コード（ＭＦＲコード）およびＭＦＲコードに付随するシリアル番号の有効範囲が本発明を実行した各システムのローカル制御リストに記憶される。しかしながら、このローカル制御リストは、システムの単一ＭＳＣまたは多数のＭＳＣのいずれに記憶されてもよい。ＭＦＲコードローカル制御リストには、システムによって提供されたローカル制御機能を支援している移動局を製造する移動局製造業者毎の８ビットのＭＦＲコードが含まれている。このＭＦＲコードは、これら各製造業者によって製造された移動局のＥＳＮに含まれているＭＦＲコードと同一のものとなる。ＭＦＲコードに加えて関連シリアル番号の有効範囲も記憶される。このシリアル番号の有効範囲は、製造業者個々の移動局の内いずれのものがローカル制御機能を支援するものであるかを示している。
図４において、二つのセルまたはサービスエリア１２１および１２２の図解説明図が示されている。これらセルはそれぞれＭＳＣ１およびＭＳＣ２によって制御されている。サービスエリア１２１はシステム１２７の一部をなし、サービスエリア１２２は（斜線領域によって示された）システム１２８の一部をなす。完全な状態のシステム１２７および１２８は図示されていない。本発明はシステム１２７および１２８の各々において実動化されるものである。図解上の目的で、ＩＳ−５４−ＢおよびＩＳ−１３６のパラメータのみが言及されるが、本発明は他の類似システムにも同等の適応性を有するものである。例えば、ＥＩＡ／ＴＩＡ−５５３システムに実用化された場合でも、ＯＭＴに付したＬＯＣＡＩＤ値と登録メッセージのメッセージ種別フィールドが使用されないことを除いて同じようなものとなる。
ＭＳＣ１によってサービス提供がなされるサービスエリア１２１内では、基地局１２３がそのＦＯＣＣのＯＭＴに基づいて制御パラメータを放送している様子が示されている。これらにはパラメータＳＩＤ１、ＬＯＣＡＩＤ１、ＲＥＧＩＤ１およびＲＥＧＩＮＣＲ１が含まれている。同様に、ＭＳＣ２によってサービス提供がなされるサービスエリア１２２には基地局１２４が備えられており、そのＦＯＣＣ上で特定のシステムパラメータを放送している。これらのパラメータにはＳＩＤ２、ＬＯＣＡＩＤ２、ＲＥＧＩＤ２およびＲＥＧＩＮＣＲ２が含まれている。ここでは、二つのサービスエリア１２１および１２２間の境界領域で移動局１２５が動作しているように示されている。この場合、システム１２７およびシステム１２８のいずれもが移動局１２５のホームシステムではなく、移動局１２５のホームシステムのＳＩＤに含まれているグループ識別子と同一のグループ識別子もない。そこで移動局１２５は、現在合わせているＦＯＣＣのＯＭＴに基づいて定期的に受信される一組のシステムパラメータをそのメモリ内に記憶する。移動局１２５用の所在地データは移動局１２５のホームＨＬＲ１２６に記憶される。このデータには移動局が現在登録されているＭＳＣの身元が含まれている。ＨＬＲ１２６は、例えば、個々の状況によって信号方式Ｎｏ．７プロトコルかＸ．２５プロトコルに従って動作する信号リンク経由でＭＳＣ１およびＭＳＣ２双方からデータを受信する。
移動局１２５は、利用可能なチャネルを最後に再捜査した時点において最高率で測定された信号強度をいずれが有しているかについてＦＯＣＣに聞く。ここで、受信しているチャネルの信号品質によっては、移動局１２５が一つのＦＯＣＣから他のＦＯＣＣへとチューニングを頻繁に変えるような無線伝搬特性となるかもしれない。移動局１２５は合わせられているＦＯＣＣのＯＭＴに基づき放送されたシステムパラメータを定期的に検出する。そして、以下に示す条件の内いずれか一つが存在する場合、移動局１２５は登録を行うと決める。
（ａ）（記憶された）ＳＩＤ≠（受信された）ＳＩＤ
（ｂ）（記憶された）ＬＯＣＡＩＤ≠（受信された）ＬＯＣＡＩＤ
（ｃ）（記憶された）ＮＸＴＲＥＧ＜（受信された）ＲＥＧＩＤ
すなわち、移動局は、現在合わせているＦＯＣＣのＯＭＴに基づいて受信した登録パラメータの値をその一時記憶装置に絶えず記憶し、これら受信値と半固定記憶装置に記憶されている値とを比較し、所在地パラメータおよび時間パラメータの双方に基づいて再登録するのがよいかどうか判断している。移動局１２５がシステム１２７のサービスエリア１２１からシステム１２８のサービスエリア１２２に入った場合、基地局１２４のＦＯＣＣのＯＭＴに基づきＳＩＤ２、ＬＯＣＡＩＤ２、ＲＥＧＩＤ２およびＲＥＧＩＮＣＲ２を受信する。ＳＩＤ２とＳＩＤ１は等しくないので、移動局１２５は新規アクセスのシステム１２８のシステム指定区域１２２に登録することを決定する。登録が決定した後、基地局１２４のＲＥＣＣにのせてその登録アクセスメッセージを送る前に、移動局１２５は同じ基地局１２４のＦＯＣＣを再走査しその一つを選択する。選択されたチャネルは、再走査時に利用可能な別のＦＯＣＣで放送されている信号品質によっては、たった今受信していたのと同じＦＯＣＣとなるかもしれないし違うものになるかもしれない。移動局の送付する登録アクセスメッセージは、再走査後に合わせられた新規ＦＯＣＣに付随するＲＥＣＣで送られる。
新規アクセスのシステム１２８に登録する間に、システム１２８および移動局１２５は、システム１２８によって支援されたローカル制御機能に従って移動局が動作することができるかどうかを判断する。システム１２８は、移動局１２５から登録アクセスメッセージの状態で受信した移動局ＥＳＮのＭＦＲコードおよび１７ビットシリアル番号を、自身のローカル制御リストに入れられたＭＦＲコードおよび関連シリアル番号の有効範囲と比較する。ローカル制御リストはＭＳＣ２のメモリに入れられているが、システム１２８内の他のＭＳＣ（図示せず）に入れられていてもよい。受信したＭＦＲコードがＭＦＲコードローカル制御リストが持つＭＦＲコードと一致し、かつ１７ビットのシリアル番号が関連するシリアル番号の有効範囲内であるなら、システム１２８は移動局１２５が自システムの支援するローカル制御機能を支援しているとの指示を得る。一方、登録する移動局のＭＦＲコードがＭＦＲコードローカル制御リストに含まれていないか、あるいはリストには含まれていても１７ビットシリアル番号が関連するシリアル番号有効範囲内にないなら、システム１２８は移動局１２５とシステム１２８とが共通のローカル制御機能を支援していないとの指示を得る。
登録を行う移動局１２５とシステム１２８とが共通のローカル制御機能を支援していない場合、システム１２８は基地局１２４のＦＯＣＣにのせて通常の登録確認メッセージを移動局１２５に送る。移動局１２５は同じＦＯＣＣでその登録確認メッセージを受信し、基地局１２４のＦＯＣＣで受信した直前の値に基づいて、ＳＩＤ２、ＬＯＣＡＩＤ２、ＲＥＧＩＤ２およびＲＥＧＩＮＣＲ２を自身の半固定記憶装置に記憶する。この通常登録確認メッセージには、移動局の登録メッセージに含まれていたのと同じオーダーコード、オーダー修飾子コードおよびメッセージ種別フィールドが含まれている。この通常登録確認メッセージを新規アクセスのシステムから受け取ると、ローカル制御は移動局１２５では許可されず、あるいは移動局１２５に伴う動作に関してはシステム１２８でも有効とはならない。
登録を行う移動局１２５とシステム１２８とが共通のローカル制御機能を支援している場合には、システム１２８が異なるオーダーコード、オーダー修飾子コードおよびメッセージ種別フィールドを持つローカル制御登録確認メッセージを通常登録確認メッセージの代わりに送る。ローカル制御登録確認メッセージに含まれたこの一組のコードは移動局製造業者とセルラーシステム交換扱い者間の取り決めに従うものである。図５および図６は本発明の第一の実施形態に係わる登録アクセスおよび特殊ローカル制御登録確認メッセージとして考えられるシーケンスを示すものである。図５はＩＳ５４−ＢおよびＩＳ−１３６のシステム用のシーケンスを示し、図６はＥＩＡ／ＴＩＡ−５５３システム用シーケンスを示す。
登録を行う移動局１２５が登録アクセスメッセージを送り、移動局のＭＦＲコードがシステムのＭＦＲコードローカル制御リストに含まれており、かつ移動局のＥＳＮがＭＦＲコードに付随するシリアル番号の有効範囲内であると判断すると、システム１２８は自律的な登録プロセスの間に右側の欄に示したメッセージをローカル制御登録確認メッセージとして送信する。本発明のこの第一の実施形態によれば、システムが標準オーディットメッセージをシステム仕様によって定義された通常登録確認メッセージの位置に送信する。例えば、オーダーコード、オーダー修飾子コードおよびメッセージ種別の組み合わせで、「自律登録−所在を知らせる、認証ワードＣ含む」を示す登録アクセスメッセージを移動局１２５が送ると、システム１２８はその移動局に宛てたオーディットメッセージをローカル制御登録確認メッセージとして返す。図５および図６に示すように、オーディットメッセージには、通常予定された登録確認メッセージのオーダーコード、修飾コードおよびメッセージ種別フィールドとは異なるオーダーコード、修飾コードおよび／またはメッセージ種別フィールドが含まれている。
異なるコードにより通常登録確認メッセージの位置に受信されたオーディットメッセージは、登録確認メッセージを要求している移動局１２５内のソフトウェアによって認識される。このメッセージは、移動局１２５が支援しているローカル制御機能をシステム１２８も支援していることをソフトウェアに示すものとして機能する。移動局１２５はこのオーディットメッセージの登録を確認する通常登録確認メッセージとして受理し、半固定記憶装置にＳＩＤ２、ＬＯＣＡＩＤ２、ＲＥＧＩＤ２およびＲＥＧＩＮＣＲを記憶する。また、移動局１２５はローカル制御機能に手段を与え、そのホームシステムＳＩＤのグループ識別子が滞在先のＳＩＤ２のグループ識別子と一致しないにもかかわらず、システム１２８でローカル制御メッセージを受け取ることができるようにする。
図７Ａは本発明の第一の実施形態に係わる移動局内およびシステム内で実行される工程を説明する流れ図である。図７Ａのプロセスは図４に関して説明され、移動局１２５が新規にアクセスする滞在先のシステム１２８へと移動する状態を示す。このプロセスはステップ７００で始まり、新規のＳＩＤ２、ＬＯＣＡＩＤ２、ＲＥＧＩＤおよびＲＥＧＩＮＣＲの値を基地局１２４のＦＯＣＣで検出した後、移動局１２５がＲＥＣＣにのせて登録アクセスメッセージを新規アクセスのシステム基地局１２４に送信する。ステップ７０２では、登録アクセスメッセージがシステム１２８によって受信され、ＭＳＣ２に転送される。次いでプロセスはステップ７０４に移る。ステップ７０４では、ＭＳＣ２内のソフトウェアが、登録アクセスメッセージの状態で受信したＭＦＲコードを、ＭＳＣ２内のメモリに記憶されたシステムローカル制御ＭＦＲコードリストの持つＭＦＲコードと比較する。受信したＭＦＲコードがシステムＭＦＲコードローカル制御リストに含まれていないとステップ７０４で判断されると、プロセスはステップ７０４からステップ７１６に移行する。ステップ７１６では、ＭＳＣ２が基地局１２４に命じ、ＦＯＣＣにのせて通常登録確認メッセージを移動局１２５に返送させる。この通常登録確認メッセージはステップ７１８で移動局１２５によって受信される。そしてステップ７１８からステップ７２０に移行し、移動局１２５および滞在先であるシステム１２８は、ローカル制御を起動することなく通常の方法で対話処理を続ける。
しかしながら、受信したＭＦＲコードがＭＳＣの記憶するローカル制御ＭＦＲコードリストに含まれているとステップ７０４で判断されるなら、プロセスはステップ７０６に移行する。ステップ７０６では、ＭＳＣ２内のソフトウェアが、登録アクセスメッセージの状態で受信された移動局ＥＳＮの１７ビットのシリアル番号を、ＭＦＲコードに付随してローカル制御ＭＦＲコードリストに記憶された関連シリアル番号の有効範囲と比較する。ＥＳＮの１７ビットのシリアル番号がＭＦＲコードに付随する範囲内にないなら、プロセスはステップ７０６からステップ７１６に移行する。そして、前述したようにステップ７１６、７１８および７２０が実行され、移動機とシステムはローカル制御なしの状態を続ける。しかしながら、ＥＳＮの１７ビットのシリアル番号がＭＦＲコードに付随してローカル制御リストに記憶された関連シリアル番号の有効範囲内にあるとステップ７０６で判断されるなら、プロセスはステップ７０８に移行する。ステップ７０８では、ＭＳＣ２が新規アクセスの基地局１２４に命じ、ＦＯＣＣにのせてオーディットメッセージをローカル制御登録確認メッセージとして登録中の移動局１２５に送信させる。移動局１２５はステップ７１０でそのオーディットメッセージを受信し、プロセスはステップ７１０からステップ７１２へ移行する。ステップ７１２では、移動局のソフトウェアが、ローカル制御機能の互換性を信号で知らせるローカル制御登録確認メッセージを示すものとしてオーディットメッセージを認識する。その後、移動局１２５内のソフトウェアがローカル制御機能の使用を可能にする。次いでプロセスはステップ７１２からステップ７１４に移行し、移動局１２５とシステム１２８は、手段が与えられ移動局１２５で使用可能となったローカル制御機能を用いて通常の方法で対話処理を続ける。
本発明の第一の実施形態は自律的な登録全体に利用するものとして、すなわち新規ＳＩＤや新規ＬＯＣＡＩＤの検出、または新規ＲＥＧＩＤの算出によって促進される登録によって利用するものとして示されているが、第一の実施形態の代替手段によっては選択された種類の登録を行う間にだけ利用するように本発明を実行することができる。
例えば、新規ＳＩＤが検出された時のみ、すなわち、移動局が新規にアクセスしたシステムに初めて登録を行っている時のみに該プロセスが利用されるように設計されていてもよい。システムのローカル制御エリアは通常一つのＳＩＤによって識別されるので、この代替案も本発明で意図された機能を達成するものとなる。しかしながら、第一の実施形態を自律的な登録全てに利用すると、ローカル制御エンハンスメント機能に冗長性が付加される。
さらに他の代替案では、シリアル番号の有効範囲チェックを行うことなくＭＦＲコードが使用される。これによってアルゴリズムが簡素化され、ある所定ＭＦＲコードを伴って作られた全ての移動局が同一のローカル制御機能を支援する場合に有利である。しかしながら、移動局の製造業者が異なる機種の移動局を製造することもあり得る。すなわち、その内いくらかのものはローカル制御エンハンスメント機能を持っていても、他のいくつかはそのエンハンスメント機能を持っていないこともあるので、移動局全てがローカル制御登録を認識するわけではないということも起こり得る。この場合、ＭＦＲコードがシステムローカル制御リストに含まれていても新規にアクセスするシステムのローカル制御機能を支援していない一製造業者の移動局の機種各々がオーディットメッセージを無視し、登録オーダー確認メッセージの不在を登録の失敗として解釈するので、従来のシステムにおけるように、当該移動局は再登録を試みることになる。本発明の第一の実施形態のこの代替案では、ＭＳＣのシステムソフトウェアは、登録メッセージに応答してオーディットメッセージが移動機に送信された後に移動局によって実行される再登録の試みを、移動機のＭＦＲコードがローカル制御リストに含まれていても移動機はシステムが支援しているローカル制御機能を支援することができないことの表れとして解釈する。またシステムは、登録アクセスメッセージの持つ移動局のＭＩＮやＥＳＮによっては移動局が再登録を行っているものと認識するかもしれない。その場合にはシステムが移動局の登録を行う。そして、通常登録確認メッセージが移動局に送信され、移動局はローカル制御なしでシステム内で機能するようになる。
図７Ｂは本発明の第一の実施形態のこの代替案に係わるものであり、単一の製造業者のコードが製造業者毎に割り当てられている場合の移動局内およびシステム内で実行される工程を説明する流れ図である。一製造業者の移動局の支援するローカル制御機能がシステムによって支援されているならば、製造業者のＭＦＲコードは、その製造業者が作る移動局の機種全てがそれらローカル制御機能を支援しているかどうかと関係なく、システムＭＦＲコードローカル制御リストに載せられる。図７Ｂのプロセスは図４に関して説明され、移動局１２５が新規にアクセスする滞在先のシステム１２８へと移動する状態を示す。このプロセスは、新規のＳＩＤ２、ＬＯＣＡＩＤ２、ＲＥＧＩＤおよびＲＥＧＩＮＣＲの値を基地局１２４でＦＯＣＣのＯＭＴに基づき検出した後に移動局１２５がＲＥＣＣにのせて登録アクセスメッセージを新規アクセスのシステムに送信するステップ７１６で始まる。そしてプロセスはステップ７１８に移行する。ステップ７１８では、ＭＳＣ２が、登録アクセスメッセージの状態で受信したＭＦＲコードを、ＭＳＣ２内のメモリに記憶されたシステムローカル制御ＭＦＲコードリストの持つＭＦＲコードと比較する。受信したＭＦＲコードがシステムＭＦＲコードローカル制御リストに含まれていないとステップ７１８で判断されると、プロセスはステップ７１８からステップ７３４に移行する。ステップ７３４では、ＭＳＣ２が基地局１２４に命じ、ＦＯＣＣにのせて通常登録確認メッセージを移動局１２５に返送させる。そしてプロセスはステップ７３４からステップ７３６に移行し、移動局１２５および滞在先であるシステム１２８は、ローカル制御を起動することなく通常の方法で対話処理を続ける。
しかしながら、受信したＭＦＲコードがＭＳＣの記憶するローカル制御ＭＦＲコードリストに含まれているとステップ７１８で判断される場合。その場合、システム１２８は、移動局１２５が共通のローカル制御機能を支援しているとの指示を得る。そしてプロセスはステップ７１８からステップ７２０に移行する。ステップ７２０では、ＭＳＣ２が新規にアクセスしたシステムの基地局１２４に命じ、ＦＯＣＣにのせてオーディットメッセージをローカル制御登録確認メッセージとして登録中の移動局１２５に送信させる。移動局１２５はそのオーディットメッセージを受信し、オーダーコード、オーダー修飾子コードおよび／またはメッセージ種別フィールドを調べることにより、どんな種類の登録確認メッセージが送られたかをステップ７２２で判断する。移動局のソフトウェアが、ローカル制御機能の互換性を信号で知らせるローカル制御登録確認メッセージを示すものとしてオーディットメッセージを認識するなら、プロセスはステップ７３０に移行し、移動局１２５内のソフトウェアがローカル制御機能の使用を可能にする。次いでプロセスはステップ７３０からステップ７３２に移行し、移動局１２５とシステム１２８は、手段が与えられ移動局１２５で使用可能となったローカル制御機能を用いて通常の方法で対話処理を続ける。
しかしながら、ステップ７２２で、移動局１２５がオーディットメッセージに含まれたコードをローカル制御機能の互換性を示すものとして認識しないなら、移動局１２５はシステムのローカル制御機能を支援せず、プロセスはステップ７２４に移行する。ステップ７２４では、移動局１２５が登録アクセスメッセージを再送信する。ステップ７２６では、新規アクセスのシステム１２８が、オーディットメッセージが同一の移動局１２５に送られた後に第一の登録アクセスメッセージに応答して送信されたこの第二の登録アクセスメッセージを基地局１２４で受信する。第二の登録アクセスメッセージのＭＩＮおよびＥＳＮを、第一のアクセスメッセージの状態で受信しシステムのメモリに蓄積されたＭＩＮおよびＥＳＮと比較することにより、システムソフトウェアはこの受信が移動局１２５による二番目の登録試行であることを認識し、システム１２８はステップ７２６で直ちに通常登録確認メッセージを返送する。そしてプロセスはステップ７２６からステップ７２８へ移行する。ステップ７２８で、移動局１２５およびシステム１２８はローカル制御を起動することなく通常の方法で対話処理を続ける。
本発明の第二の実施形態において、システムソフトウェアはローカル制御リストを使用するというよりもローカル制御クラスのサービスにアクセスするものである。ローカル制御クラスのサービスデータは各移動局のＨＬＲ内に入れられた加入者プロフィールに記憶されている。図８は本発明の第二の実施形態に係わり、加入者プロフィールに記憶されていると考えられるローカル制御クラスのサービス値を示したものである。各ローカル制御クラスのサービス８００は、このローカル制御クラスのサービスを支援しているシステムを識別するＳＩＤ値８０２の関連リストを有する。ＳＩＤ値８０２は、共通のローカル制御グループに属しＳＩＤが関連している個々のローカル制御クラスのサービスを支援するシステムをそれぞれ識別する。サービスクラス８０４の値０は移動局がローカル制御を支援していないことを示す。サービスクラス８０６の値１は移動局がある特定のローカル制御機能（種別１）のローカル制御を支援していることを示す。種別１の値に付随するＳＩＤ値ＳＩＤ１、ＳＩＤ２、ＳＩＤ３およびＳＩＤ４は種別１のローカル制御機能のための共通ローカル制御グループに属する。サービスクラスの追加値、例えばサービスクラス８０８の値２等は、移動局が異なるシステムによって支援された異なるローカル制御機能を支援する場合に用いられる。
本発明の第二の実施形態によれば、ローカル制御登録確認メッセージを登録アクセスメッセージの返答として送る工程が、登録中の移動局に通常登録確認メッセージをシステムによって送る工程に置き換えられる。移動局を登録した後、システムはＨＬＲ内に記憶されている加入者プロフィールの持つローカル制御クラスのサービスを確認する。特定ローカル制御機能のためのサービスクラスが確認されるなら、システムは移動局を呼び出して音声チャネルに割り当てる。移動局は音声チャネル割当メッセージで指定された音声チャネルに合わせる。移動局が指定された音声チャネルに合わせると、その音声チャネルにのせてローカル制御メッセージが登録中の移動機に送られる。移動局が現行システムのローカル制御メッセージおよびこのシステムのＳＩＤ値を優先して受け取るよう準備しているとは限らないが、この点当該シーケンスでは割り当てられた音声チャネルでローカル制御メッセージの送信を行うことが引き金となり、移動局内のソフトウェアはこのシステムでローカル制御メッセージを受け取ることができるようになる。
ＥＩＡ／ＴＩＡ−５５３、ＩＳ−５４−ＢおよびＩＳ−１３６のシステムでは、アナログ音声チャネル上でローカル制御メッセージが特殊オーダーコード（１１１１０）およびオーダー識別子コード（０００）によって識別される。ここで、５ビットからなりローカルフィールドとして定義されたメッセージ種別フィールドは条件として指定されておらず、システムおよび移動局の製造業者の選択にゆだねられている。本発明の第二の実施形態では、この５ビットのメッセージ種別フィールドがローカル制御メッセージの第一ワードに続く追加ワードの総数を示すために割り当てられている。各追加ワードには、新規にアクセスしたシステムと同一のローカル制御機能を支援するシステムを識別するＳＩＤ値が含められる。これら追加ワードの状態で受信したＳＩＤ値は、現行システムのローカル制御機能と共通のローカル制御機能を支援するシステムを限定するものとして移動局に記憶される。追加ワードは、図８に示すサービスクラスの共通ローカル制御グループが持つＳＩＤリストを構成する。いずれかのシステムに登録が済み次第、移動局は記憶された共通ローカル制御リストをチェックし、移動局が同一の共有ローカル制御機能を使用する可能性があると判断する。
図９は本発明の第二の実施形態に係わり、登録アクセスに応答して音声チャネルで送られるローカル制御メッセージの持つ二進ワードのフォーマットを示すものである。図示されたローカル制御メッセージは三つのワード９００、９０２および９０４からなる。ここで、第一ワード９００のＴ１Ｔ２フィールドは１０に設定され、それがメッセージ中の第一ワードであることを示す。Ｔ１Ｔ２フィールド９０８および９１０はそれぞれ０１に設定され、これらのワードが追加ワードであることを示す。また、第一ワードのＯＲＤＥＲフィールド９１２およびＯＲＤＱフィールド９１４は各々１１１１０および０００に設定され、そのメッセージをローカル制御メッセージとして識別している。
本発明によれば、ＬＯＣＡＬフィールド９１６が図９では００１０に設定され、二つの追加ワードがローカル制御メッセージに含まれていることを示す。また、第一ワード９００はＳＣＣフィールド９２２およびＰＳＣＣフィールド９２４も持っている。これらのフィールドは制御チャネルの選択・制御のために利用される。第一ワード、第二ワードおよび第三ワードは、ＲＳＶＤフィールド９２８、９３２および９３６とＰフィールド９３０、９３４および９３８とを各々含んでいる。ＲＳＶＤフィールドはその仕様で将来利用できるように確保されたものである。また、ＩＳ−１３６およびＩＳ−５４−Ｂのシステムでは、第一ワードにＥＦフィールド９２６が含まれている。ＥＩＡ／ＴＩＡ−５５３システムでは、そのＥＦビットがＲＳＶＤフィールド９２８に含まれる。Ｐフィールド９３０、９３４および９３８はパリティーエラー制御に利用される。第二ワード９０２および第三ワード９０４はＳＩＤＡ９１８およびＳＩＤＢ９２０をそれぞれ備え、共通ローカル制御グループの一部をなすシステムのＳＩＤ値をそれぞれ示す。
本発明の第二の実施形態では、ＲＳＶＤフィールド９２８が、システムおよび移動機の製造業者によって音声チャネルメッセージのローカル制御メッセージとしての識別に冗長性を付加するのに同意するような値に設定される。図９において、ＲＳＶＤフィールド９２８は１１１１００００の値と一致するように設定されたものである。これにより、ローカル制御メッセージの第一ワードをローカル制御性能を示すものとして識別する精度が高められる。移動局でリストのために割り当てられたメモリスペースは十分大きいので、広大な大都市エリアをカバーするネットワークのセルラーシステムによって利用されるＳＩＤ値全てをリストに入れることができる。
また、新規アクセスのセルラーシステムは、共通ローカル制御グループの持つシステムのＳＩＤ値のリストを含むローカル制御メッセージを送信し現在登録されている移動局各々の身元も記憶する。さらに、新規アクセスのシステムはグループフラッグを移動局のＨＬＲ中の移動局の加入者プロフィールに設定し、当該移動局が新規にアクセスしたシステムの共通ローカル制御グループ中のあるシステムに対して登録されていることを示す。移動局が新規アクセスのシステムに定期的に登録を行うたびに、その新規アクセスのシステムはチェックを行い、当該移動局が以前に登録されているかどうかを判断する。その移動局が以前に登録されたことがあるなら、システムがローカル制御エンハンスメントの手続きを繰り返すことはない。移動局が共通ローカル制御グループ中第二のシステムに移ると、その第二のシステムが移動局ＨＬＲ中の移動局の加入者プロフィールのグループフラッグをチェックする。当該移動機が共通ローカル制御グループの中のあるシステムに対して現在登録されていることを示すフラッグが設定されているなら、当該移動局の登録の間に第二のシステムがローカル制御エンハンスメントの手続きを繰り返すことはない。
図１０は本発明の第二の実施形態に係わる移動局内およびシステム内のソフトウェアが実行する工程を説明する流れ図である。図１０のプロセスは図４に関して説明され、移動局１２５が新規にアクセスする滞在先のシステム１２８へと移動する状態を示す。このプロセスは、新規のＳＩＤ２、ＬＯＣＡＩＤ２、ＲＥＧＩＤおよびＲＥＧＩＮＣＲを基地局１２４でＦＯＣＣのＯＭＴ値に基づき検出した後に移動局１２５が基地局１２４のＲＥＣＣにのせて登録アクセスメッセージを新規にアクセスするシステムの基地局１２４に送信するステップ１０００で始まる。ステップ１００２では、システムが登録アクセスメッセージを受信しＭＳＣ２に中継する。その後、プロセスはステップ１００２からステップ１００４に移行する。ステップ１００４では、システム１２８が通常登録確認メッセージを移動局１２５に送信する。通常登録確認メッセージを送信した後、プロセスはステップ１００６に移る。ステップ１００６では、ＭＳＣ２がＨＬＲ１２６に記憶されている移動局１２５の加入者プロフィール内に含まれたローカル制御クラスのサービスデータにアクセスする。ステップ１００８では、システムの支援するローカル制御機能に適したローカル制御クラスのサービスを照合する。そのようなローカル制御クラスのサービスが確認されないなら、プロセスはステップ１０２２に移行し、システム１２８および移動局１２５はローカル制御なしの状態を続ける。しかしながら、ローカル制御クラスのサービスがシステム１２８によって確認されるなら、システム１２８は、移動局１２５が共通のローカル制御機能を支援しているとの指示を得る。そしてプロセスはステップ１０１０に移行する。ステップ１０１０では、ＭＳＣ２内のソフトウェアが新規にアクセスしたシステム１２８に命じ、移動局１２５のＨＬＲ１２６から受信した加入者プロフィールの持つグループフラッグをチェックする。グループフラッグが設定されているなら、移動局１２５は、共通ローカル制御機能を支援するシステム１２８を含め、共通ローカル制御グループの一部をなすあるシステムに対して以前登録されたことがある。以前に登録されたことがあるなら、移動局１２５は、共通ローカル制御グループの一部をなす前システムへの登録時に、前述したようにローカル制御メッセージにより新規アクセスのＳＩＤ２を取得しているはずである。すなわち、基地局１２４のＯＭＴに基づきＳＩＤ２を検出すると同時に移動局１２８内のソフトウェアが既にローカル制御機能の使用を可能にしているはずである。そこで、プロセスはステップ１０１０からステップ１０２２に移行する。ステップ１０２２で、移動局は通常の方法でローカル制御を許可された状態を続ける。
しかしながら、移動局１２５がシステム１２８の属する共通ローカル制御グループに予め登録されていないなら、プロセスはステップ１０１０からステップ１０１２に移行する。ステップ１０１２で、システムソフトウェアは、移動局１２５が共通のローカル制御機能に関係する共通ローカルグループ中のあるシステムに対して登録されていることを示すグループフラッグを加入者プロフィールに設定し、移動局１２５を呼び出す。その上でプロセスはステップ１０１２からステップ１０１４に移行する。ステップ１０１４では、新規にアクセスしたシステムの基地局１２４が、音声チャネルを登録中の移動局１２５に割り当てる音声チャネル割当メッセージをＦＯＣＣにのせて送信する。そしてプロセスはステップ１０１４からステップ１０１６に移行する。ステップ１０１６では、ＭＳＣ２が基地局１２４に命じ、割り当てられた音声チャネルにのせてローカル制御メッセージを移動局１２５に送信させる。このローカル制御メッセージには、システム１２８が属する共通ローカル制御グループのその他システムのＳＩＤ値を入れることのできる追加ワードフィールドが含まれている。次いでプロセスはステップ１０１６からステップ１０１８へと移行する。ステップ１０１８では、移動局１２５がローカル制御メッセージを受信する。ＥＩＡ／ＴＩＡ−５５３、ＩＳ−５４ＢまたはＩＳ−１３６標準に従って作られた移動局が現行システムのローカル制御メッセージを優先して受け取るよう準備しているとは限らないが、この点当該プロセスでは割り当てられた音声チャネルでローカル制御メッセージの送信を行うことが引き金となり、システム１２８が共通のローカル制御機能を支援していることを移動局１２５に指示することができる。そしてプロセスはステップ１０１８からステップ１０２０に移行する。ステップ１０２０では、移動局１２５がローカル制御メッセージの追加ワードの状態で受信したＳＩＤ値のリストを記憶する。これで、移動局１２５は、システムが共通のローカル制御機能を支援しているという指示を得ながら、より大きなネットワークのシステムに属するシステム内を移動することができるようになる。
本発明の第二の実施形態の代替案においては、ローカル制御クラスのサービスを確認した後に音声チャネル割当メッセージが登録確認メッセージとして送信される。登録確認メッセージの位置に送信された音声チャネル割当メッセージは、移動機およびシステムが共通のローカル制御機能を支援していることを移動機に示すものとして機能する。この代替案では呼出メッセージを利用する必要はない。この代替案では、ＭＳＣが登録中の移動局のＨＬＲ中の加入者プロフィールにアクセスしてローカル制御クラスのサービスをいち早く照合し、移動局がタイムアウトして再登録を試みる前に音声チャネル割当メッセージまたは通常登録確認メッセージを送信できるようにする。これは、例えばＥＩＡ／ＴＩＡ  ＩＳ−４１セルラー無線通信システム間実施仕様に従い、グローバル名称の訳文なしにシステム間通信のための信号方式Ｎｏ．７プロトコルを用いたシステムで可能となる。
図１１は上述した本発明の第二の実施形態の代替案に従って実行される工程を説明する流れ図である。図１１のプロセスは図４に関して説明され、移動局１２５が新規にアクセスする滞在先のシステム１２８へと移動する状態を示す。このプロセスは、新規のＳＩＤ２、ＬＯＣＡＩＤ２、ＲＥＧＩＤおよびＲＥＧＩＮＣＲを基地局１２４でＦＯＣＣのＯＭＴ値に基づき検出した後に移動局１２５が基地局１２４のＲＥＣＣにのせて登録アクセスメッセージを新規にアクセスするシステムの基地局１２４に送信するステップ１１００で始まる。ステップ１１０２では、システム１２８がこの登録アクセスメッセージを受信する。その後、プロセスはステップ１１０２からステップ１１０４に移行する。ステップ１１０４では、ＭＳＣ２がＨＬＲ１２６に記憶されている移動局１２５の加入者プロフィール内に含まれたローカル制御クラスのサービスデータにアクセスする。ステップ１１０６では、システム１２８の支援するローカル制御機能に適したローカル制御クラスのサービスをシステムが照合する。そのようなローカル制御クラスのサービスが確認されないなら、プロセスはステップ１１２０に移行し、通常登録確認が送付される。そしてプロセスはステップ１１２２に移行し、システム１２８および移動局１２５は通常の方法でローカル制御なしの状態を続ける。
しかしながら、ローカル制御クラスのサービスがシステム１２８によって確認されるなら、プロセスはステップ１１０８に移行する。ステップ１１０８では、新規にアクセスしたシステムが移動局１２５のＨＬＲ１２６から受信した加入者プロフィールの持つグループフラッグをチェックする。グループフラッグが設定されているなら、当該移動局は、システム１２８を含め、共通ローカル制御グループの一部をなすあるシステムに対して以前登録されたことがある。以前に登録されたことがあるなら、移動局１２５は、共通ローカル制御グループの一部をなすあるシステムへの登録時に、前述したようにローカル制御メッセージにより新規にアクセスしたシステムのＳＩＤ２を取得しているはずである。ここで、移動局に対してシステムのローカル制御を可能にする出力を繰り返す必要はない。なぜなら、基地局１２４のＯＭＴに基づきＳＩＤ２を検出すると同時に移動局１２５内のソフトウェアが既にローカル制御機能の使用を可能にしているはずだからだ。グループフラッグが設定されているなら、これはそのような場合を示しているので、プロセスはステップ１１２０に移行し、通常の登録確認を送付する。そしてプロセスはステップ１１２２に移行し、システム１２８および移動局１２５は通常の方法でローカル制御が利用可能な状態を続ける。
しかしながら、フラッグが設定されていないことがわかると、プロセスはステップ１１１０を続行する。ステップ１１１０では、システム１２８が音声チャネル割当をローカル制御登録確認メッセージとして移動局１２５に送信し、加入者プロフィール中のローカル制御クラスのサービスデータにグループフラッグを設定する。その上でプロセスはステップ１１１０からステップ１１１２に移行する。ステップ１１１２では、移動局１２５が音声チャネル割当メッセージを受信する。移動局１２５はその音声チャネル割当メッセージをローカル制御の互換性を示すものとして認識し、ローカル制御を許可する。そしてプロセスはステップ１１１２からステップ１１１４に移行し、移動局１２５は割り当てられた音声チャネルに合わせる。次いでプロセスはステップ１１１４からステップ１１１６に移行する。ステップ１１１６では、システム１２８が音声チャネルにのせてローカル制御メッセージを移動局１２５に送信する。このローカル制御メッセージには、システム１２８が属する共通ローカルグループのシステムのＳＩＤ値を入れることのできる追加ワードフィールドが含まれている。次いでプロセスはステップ１１１６からステップ１１１８に移行し、移動局１２５はローカル制御メッセージを受信し、受信したＳＩＤ値をメモリに記憶する。これで、移動局１２５は、各システムが共通のローカル制御機能を支援しているという指示を得ながら、より大きなネットワークのシステムに属するシステム内を移動することができるようになる。
上記説明からわかるように、本発明は、移動局および滞在先のシステム各自がそれら自身によって共通のローカル制御機能を提供していることを示しているうちは、移動局が互いに異なるシステム間を動き回るのを可能にするものである。本発明は、そのシステムのＳＩＤに移動局のグループ識別子が含まれていなくても、ローカル制御を滞在先のシステムで利用可能にすることにより、本発明が実動化された移動局と滞在先のシステムの性能を高める。
本発明の作用および構造は前述の説明から明らかであるが、ここに示し説明した本発明は個々の実施形態として特徴づけられたものであり、以下の請求の範囲で限定される本発明の精神および範囲を逸脱することなく変更や修正を加えることも可能である。
【図１】
0003807554.tif 000002
【図２】
0003807554.tif 000003
【図３】
0003807554.tif 000004
【図４】
0003807554.tif 000005
【図５】
0003807554.tif 000006
【図６】
0003807554.tif 000007
【図７Ａ】
0003807554.tif 000008
【図７Ｂ】
0003807554.tif 000009
【図８】
0003807554.tif 000010
【図９】
0003807554.tif 000011
【図１０】
0003807554.tif 000012
【図１１】
0003807554.tif 000013